(57)【特許請求の範囲】
【請求項１】
送受信ステーション（１）から送受信装置（２）へのデータ伝送における誤り率を決定するための方法であって、
第一のデータ・ブロック及びこれと異なる少なくとも１つのさらなる冗長データ・ブロックが前記送受信ステーション（１）によってオリジナル・データ・ブロック（９）から生成され、前記第一のデータ・ブロックがエラー送信された場合、前記送受信装置（２）によってさらなる冗長データ・ブロックが要求され、
前記送受信ステーション（１）によって第一のデータ・ブロックを送信するステップと、
前記送受信装置（２）によって前記第一のデータ・ブロックを受信するステップと、
デコーディング・ブロック（８）において前記受信された第一のデータ・ブロックを復号するステップと、
前記第一のデータ・ブロックの送信エラーをチェックするステップと、
前記第一のデータ・ブロックの送信データにエラーがあると決定される場合、エラー修正のためにさらなる冗長データ・ブロックを要求するステップと、
前記送受信ステーション（１）において前記要求を受け取るステップと、
を含み、
冗長データ・ブロックの代わりに前記第一のデータ・ブロックを再送信し、かつ
正確にまたは不正確に送信または再送信されたデータ・ブロックの数に関する情報に基づいて前記誤り率を決定する、
ことを特徴とする、
誤り率決定方法。
【請求項２】
前記第一のデータ・ブロック及び前記さらなる冗長データ・ブロックが異なるパンクチャ処理スキームによる畳み込みコーディングによって生成されることを特徴とする、請求項１に記載の誤り率決定方法。
【請求項３】
前記第一のデータ・ブロックの生成に使用される前記パンクチャ処理スキームが決定されることを特徴とする、請求項２に記載の誤り率決定方法。
【請求項４】
前記異なる冗長データ・ブロックが前記送受信ステーション（１）のメモリ（１４）に記憶され、かつ前記さらなるデータ・ブロックが要求される場合に前記第一のデータ・ブロックに割り当てられるメモリ・ロケーション（１５．１）に記憶される前記第一のデータ・ブロックが送信されることを特徴とする、請求項１から３のいずれか一項に記載の誤り率決定方法。
【請求項５】
前記第一のデータ・ブロックが前記送受信ステーションのメモリ（１４）において前記異なる冗長データ・ブロックの代わりにそのそれぞれのメモリ・ロケーション（１５．２，１５．３）にも記憶され、かつさらなるデータ・ブロックが要求される場合に前記それぞれのメモリ・ロケーション（１５．２、１５．３）に記憶される前記データ・ブロックが送信されることを特徴とする、請求項１から３のいずれか一項に記載の誤り率決定方法。
【請求項６】
前記エラー修正なしに決定された誤り率を増加的冗長性によるエラー修正を含む誤り率と比較するためにさらなるデータ・ブロックが要求される場合さらなる冗長データ・ブロックが付加的に前記送受信ステーション（１）によって送信されることを特徴とする、請求項１から３のいずれか一項に記載の誤り率決定方法。
【請求項７】
送受信ステーション（１）から送受信装置（２）にデータが伝送される際の誤り率を決定するための測定装置であって、
前記送受信ステーション（１）がオリジナル・データ・ブロック（９）から第一のデータ・ブロック及びこれと異なる少なくとも１つのさらなる冗長データ・ブロックを生成するためのコーディング・ブロック（３）と、送信されるデータ・ブロックを選択するための選択デバイス（１６）とを備え、
前記第一のデータ・ブロックがエラー送信されたために前記送受信装置（２）によって前記送受信ステーション（１）に対して通信されるさらなる冗長データ・ブロックの要求に応答して冗長データ・ブロックの代わりに前記第一のデータ・ブロックが前記送受信ステーション（１）によって再送信され、前記誤り率は正確にまたは不正確に送信または再送信されたデータ・ブロックの数に関する情報に基づいて決定されることを特徴とする、
誤り率決定用測定装置。
【請求項８】
いくつかのメモリ・ロケーション（１５．１、１５．２、１５．３）を含むメモリ（１４）がデータ・ブロックの記憶のために前記コーディング・ブロックに配備されることを特徴とする、請求項７に記載の誤り率決定用測定装置。
【請求項９】
それぞれのデータ・ブロックの生成のために異なるパンクチャ処理スキームが使用され、かつ前記第一のデータ・ブロックの生成のために使用されるパンクチャ処理スキームを選択することができることを特徴とする、請求項８に記載の誤り率決定用測定装置。
【請求項１０】
前記送受信装置（２）からの要求と関係なく前記選択デバイスによって前記第一のデータ・ブロックが記憶されている前記メモリ（１４）から前記第一のデータ・ブロックを選択することができることを特徴とする、請求項７から９のいずれか一項に記載の誤り率決定用測定装置。
【請求項１１】
前記第一のデータ・ブロックがメモリ（１４）において前記さらなる冗長データ・ブロックの代わりにそのそれぞれのメモリ・ロケーション（１５．２、１５．３）に記憶されることを特徴とする、請求項７または８に記載の誤り率決定用測定装置。
【請求項１２】
エラー修正なしで決定された誤り率を増加的冗長性によるエラー修正を含む誤り率と比較するために前記送受信装置（１）によって要求される場合さらなる冗長データ・ブロックが前記選択デバイス（１６）によって選択されることを特徴とする、請求項７または８に記載の誤り率決定用測定装置。
【発明の詳細な説明】
【技術分野】
【０００１】
本発明は送受信ステーションから送受信装置へのデータ伝送における誤り率すなわち増加的冗長性（incremental redundancy）を使用する場合のデコーディング・ゲインを決定するための方法及び測定装置に関するものである。
【背景技術】
【０００２】
送受信ステーション例えば携帯電話システムの基地局から送受信装置例えば携帯電話へのデータ伝送中及びこのとき行われる復号中生じる誤り率を決定する場合、データ伝送は一般に測定装置と携帯電話との間で行われ、この際、携帯電話システムの基地局は測定装置によってエミュレートされる。このような状況において、測定装置は、基地局自体と同様、関連規格の全ての要件を満たすように構成される。すなわち測定装置はソフトウェア支援のエラー修正のための手段をサポートする。
【０００３】
最新の携帯電話システムの場合、例えばＥＧＰＲＳ（Enhance General Packet Radio Service、強化汎用パケット無線システム）の規格においては、データ伝送中のセキュリティを増すために冗長度の漸進的増加が行われる。すなわち、ある畳み込みコーディング・スキームに従ってコード化された第一のデータ・ブロックの送信後、送信及び受信したデータの復号がエラーなく行われたか否かを決定するために受信端においてテストが行われる。このようにして受信したデータ・レコードがエラーを含む場合、基地局からのさらなる冗長データの送信が受け手によって要求される。このいわゆる「増加的冗長性」については、例えば米国特許第５，６５７，３２５号において説明されている。
【０００４】
このような構造において、冗長データは元々畳み込みコーディングによって入力されたデータ・レコードから第一のデータ・ブロックと一緒に生成され、冗長情報はオリジナル・データ・レコードに含まれる情報の各アイテムについて生成される。例えば、ＥＧＰＲＳ規格におけるコーダＭＣ３９の場合、各ビットから３つのビットが生成される。あらゆる場合にこの３倍のデータ量を送信する必要がないようにするために、この３倍のデータ量からパンクチャ処理スキームに従ってビットが取り除かれて、メモリに記憶される。残りのビットは第一のデータ・ブロックとして受け手に送信されて、ここで評価を受ける。
【０００５】
受信された第一のデータ・ブロックがエラー送信される場合、受け手は送り手に対してデータのエラー受信を報告し、これに応じて、３倍のデータ量からビットを除外することによって第二のパンクチャ処理スキームに従って生成される第二のデータ・ブロックの冗長データが受け手に送信される。この冗長データを用いて、第一のデータ・ブロックの受信において生じたエラーが修正されるか、または別の冗長データ・ブロックが再び要求される。
【０００６】
生産試験システムにおいては、例えば携帯電話の品質を評価する場合、上述のプロシージャは、携帯電話を原因とする誤り率を決定する際、元々送信中に生じたエラーが増加的冗長性の結果として除外されるので、冗長データを用いるソフトウェアによる修正なしに携帯電話のハードウェアを原因とする実際のエラーを評価することが不可能である、という不利点をもたらす。
【発明の開示】
【発明が解決しようとする課題】
【０００７】
本発明は、冗長データを用いるエラー修正なしに送受信装置の誤り率を決定するための方法及び測定装置を提供することをその目的とする。
【課題を解決するための手段】
【０００８】
この目的は、請求項１に記載される本発明に従った方法及び請求項７に記載される本発明に従った測定装置によって達成される。
【０００９】
本発明の方法に従えば、送信及びデコーディング後送信されたデータの正確さをテストするために、始めに例えばＥＧＰＲＳ規格に従った基地局の動作において使用される方法を通じて、オリジナル・データに関するチェック・パラメータがオリジナル・データ・レコードからオリジナル・データ・ブロックに付加される。オリジナル・データ・ブロックはチェック・パラメータと一緒に畳み込みコーディングによってコード化されるので、拡大されたデータ量が生成される。オリジナル・データ・ブロックのオリジナル情報は多重冗長的に存在する。
【００１０】
この拡大データ量からいくつかのデータ・ブロックが生成され、各データ・ブロックはチェック・パラメータを含めてオリジナル・データ・ブロックの情報を含むが、他の冗長情報を含まないことが多い。この種の第一のデータ・ブロックは、既知の方法で測定装置の送受信ステーションによって変調され増幅されて、最終的にアンテナを通じて送信される。
【００１１】
この送信された第一のデータ・ブロックは送受信装置、すなわちテスト対象の装置（ＤＵＴ）によって受信され、送受信ステーションのコーディング・スキーム（「畳み込みコード」）に従って復号される。このようにして得られるデータ・レコードは、オリジナル・データ・ブロックと一致するか否かに関してチェック・パラメータに基づいてチェックされる。このような状況において、送受信装置において送信及び復号にエラーがあることが決定された場合、送受信装置はさらなる冗長データ・ブロックの送信を送受信ステーションに要求する。
【００１２】
送受信ステーションが送受信装置からのこの要求を受けると、元々送信された同じデータ・ブロックが再び送信される。このように同じデータ・ブロックを再送信する結果、送受信装置は冗長情報を受信せず、従って、増加的冗長性を用いてデコーディング・エラーを修正することができない。従って、この方法によって装置を原因としてデータ伝送に実際に生じるエラーを決定することができる。
【００１３】
本発明に従った方法及び測定装置のさらなる有利な展開が添付の特許請求の範囲に記載されている。
【００１４】
冗長データ・ブロックを生成する際、多様な冗長データ・ブロックの代わりに第一の送信で提供される同じデータ・ブロックが、メモリにおいて多様な冗長データ・ブロックのために用意されるメモリ・ロケーションの全てに記憶されれば、特に有利である。送受信装置より新たな要求があった場合にあるデータ・ブロックをさらに選択する必要がなくなる。例えば、エラー送信後、第二の冗長データ・ブロックが要求される場合、第二の冗長データ・ブロックのメモリ・ロケーションに記憶されるデータ・ブロックは前に送信されたデータ・ブロックと同一なので、単純にこれを送信することができる。
【００１５】
本発明のさらなる有利な展開に従えば、冗長データ・ブロックがメモリの様々なメモリ・ロケーションの各々に記憶される。エラー修正なしの誤り率を決定するために、さらなる冗長データ・ブロックの送信要求に関係なく元々通信されたそれぞれのデータ・ブロックが選択デバイスによって選択される。これは、エラー修正なしの誤り率の他に冗長情報を使用する場合に生じる誤り率も決定される場合に、特に有利である。このような場合、さらに有利な実施態様に従えば、送受信ステーションに冗長データ・ブロックを求める送受信装置による要求に基づいて要求される冗長情報は、メモリに記憶されるデータ・ブロックを送ることによって実際に送信することができる。
【００１６】
さらに、様々なパンクチャ処理スキームについて各々の場合に目標を定めてハードウェアを原因とする誤り率を決定するために、使用されるパンクチャ処理スキームを変更できることが特に有利である。
【発明を実施するための最良の形態】
【００１７】
次に、本発明の望ましい実施態様例について、図面に基づいてさらに詳細に説明する。
本発明に従った方法について詳細に説明する前に、まず、図１を参照しながら増加的冗長性を用いるデータ伝送について説明する。データ伝送は空中インターフェイスを通じて行われ、情報は送受信ステーション１から送受信装置２へ、またその逆に送信される。
【００１８】
デジタル形式で送信されるデータは、まず送受信ステーション１のコーディング・ブロック３において処理される。コーディング・ブロック３から出力されるデータは送受信ブロック４において変調され、増幅されて、その後アンテナを通じて送信される。
【００１９】
アンテナ５によって送信される信号は送受信装置２のアンテナ６によって受信され、送受信装置２の送受信ブロック７に送られる。送受信ブロック７はデコーディング・ブロック８に接続され、このブロックで、コード化されたデータからオリジナル・データが回復されて、正確さがチェックされる。
【００２０】
データはコーディング・ブロック３においてコード化されるが、このためにコーディング・ブロックは、例えば６００ビットの長さのオリジナル・データ・ブロック９をその入力端において受け取り、まずこれをチェックパラメータ・セクション１１に送る。チェックパラメータ・セクション１１において、オリジナル・データ・ブロック９のデータから算出されるチェック・パラメータがオリジナル・データ・ブロック９に付加される。このタイプのチェック・パラメータは、例えばＣＲＣ法（巡回冗長検査法）を用いて決定することができる。オリジナル・データ・ブロック９は、次にチェック・パラメータと一緒にコーディング・セクション１２に送られる。
【００２１】
コーディング・セクション１２において、畳み込みコーディングによってチェック・パラメータと共にオリジナル・データ・ブロック９のオリジナル・データから付加的冗長データが生成される。このためにいわゆる「畳み込みコーダ」が使用される。例えば、１/３コーダの場合、図５に示される通りオリジナル・データ・ブロック９及びチェック・パラメータの各ビットについて第二及び第三の冗長ビットが生成される。
【００２２】
データ・レコード１００は、オリジナル・データ・ブロック９に関しても付加されるチェック・パラメータに関しても多重の冗長情報を含む。不要なデータ伝送を避けるために、このようにして生成されたデータ・レコードから、パンクチャ処理セクション１３（図１）において所与のパンクチャ処理スキームＰ１の助けを借りて冗長ビットが取り除かれるので、最終的に、第一のデータ・ブロック１０１が残る。このデータ・ブロックは、冗長情報なしのオリジナル・データ・ブロック９及びチェック・パラメータの情報を含む。
【００２３】
さらに、パンクチャ処理セクション１３においてさらなるパンクチャ処理スキームＰ２を用いて他の冗長ビットが取り除かれ、これによって第二のデータ・ブロック１０２が形成される。このブロックは第一のデータ・ブロック１０１とは異なるが、第一のデータ・ブロック１０１と同じ情報を含む。同様に、第三のパンクチャ処理スキームＰ３を用いて第三のやはり冗長のデータ・ブロック１０３が生成される。
【００２４】
第一、第二及び第三のデータ・ブロックは、このために用意されるメモリのメモリ・ロケーション１５．１、１５．２及び１５．３に記憶される。選択デバイス１６を用いて、メモリ・ロケーション１５．１から１５．３までに記憶されたデータ・ブロックをメモリから取り出し、送受信ステーション１の送受信ブロック４に送ることができる。オリジナル・データ・ブロック９について情報の第一の送信が行われる場合、常に例えばメモリ・ロケーション１５．１に記憶される第一のデータ・ブロックが送受信ブロック４に送られる。その代わりに、連続的にデータ・ブロックを新たに生成することもできる。
【００２５】
送受信ブロック４は、第一のデータ・ブロックを処理するために必要なデバイスを含む。例として変調器１７及び増幅器のみが図に示されている。第一のデータ・ブロックが変調器１７において変調された後、アンテナ５を通じて送信できるように増幅器１８によって増幅される。
【００２６】
送受信装置２の送受信ブロック７がアンテナ６を通じてこの信号を受信すると、送受信ブロック７において、受信された信号はまず受信増幅器１９において増幅され、その後復調器２０において既知の方法で復調される。受信された第一のデータ・ブロックの復調済みデータは、デコーディング・ブロック８に送られ、まずデコーディング・セクション２２において、コーディング・セクション１２において使用されたコーディング方法を用いて復号される。
【００２７】
このように復号された形式の第一のデータ・ブロックからのデータは、チェック・セクション２３においてその同一性に関してオリジナル・データ・ブロック９と照合される。送信された第一のデータ・ブロックから決定されるデータとオリジナル・データ・ブロック９とが同一であることが判明したら、その後のステージにおいて送受信ステーション１と送受信装置２との間の接続を通じて新しいオリジナル・データ・ブロックを送信することができる。
【００２８】
これに対して、チェック・セクション２３が、送信された第一のデータ・ブロックから決定されたデータがオリジナル・データ・ブロックと一致しないと判定する場合、送信された第一のデータ・ブロックから決定されたデータは受信メモリ２４の第一の記憶ロケーション２５．１に記憶される。この既に受信したデータを用いて完全な情報を入手するために、送受信装置２は、さらなる冗長データを用いてエラーを訂正するために、さらなる冗長データ・ブロックを要求する信号を送受信ステーション１に送る。この場合、データ・ブロックは異なるので、エラー修正のために適切な冗長を保証するために、第二のデータ・ブロックも完全なエラーフリーで送信される必要はない。
【００２９】
この要求に基づいて、送受信ステーション１の選択デバイス１６によって、以前に送信されたデータ・ブロックとは異なるデータ・ブロック、例えばメモリ１４の第二のメモリ・ロケーション１５．２に記憶されるデータ・ブロック、が選択される。既に受信した第一のデータ・ブロックに対して冗長である受信した第二のデータ・ブロックのデータに関してデコーディング・ブロック８において別の評価が実施される。冗長情報にもかかわらず、決定されたデータの完全な正確さすなわちエラーフリーの送信がまだ得られない場合、送信された第二のデータ・ブロック１０２から決定されたデータは受信メモリ２４の第二のメモリ・ロケーション２５．２に記憶される。
【００３０】
その後、送受信装置２はもう一度さらなる冗長データ・ブロックを要求する信号を送信し、これに応じて、メモリ１４の第三のメモリ・ロケーション１５．３に記憶されている第三のデータ・ブロックが選択デバイス１６によって選択され、第三のデータ・ブロックが送信のために送受信ブロック４に送られる。
【００３１】
エラーを修正するためのこのプロシージャは、図６に図解的に示されている。有用なデータが、第一のパンクチャ処理スキームＰ１を使用することによって得られた最初に送信されたデータ・ブロック１０１から決定される。この場合有用なデータ１０５の部分１０５’は、エラーを含んでいる。第二のパンクチャ処理スキームＰ２を用いて生成される第二のデータ・ブロック１０２を受信し復号した後でも、第一及び第二のデータ・ブロック１０１及び１０２からの情報によって決定されたエラー１０６’は有用なデータ１０６にまだ含まれている可能性がある。最後に、第三のパンクチャ処理スキームを用いて生成される第三のデータ・ブロック１０３の形で冗長情報が再送信されると、オリジナル・データ・ブロック９の有用なデータ１０７を正確に通信できる可能性がある。そうならない場合、第一のパンクチャ処理スキームＰ１を用いて生成されたデータ・ブロック１０１の送信が再び継続される。
【００３２】
しかし、本発明に従えば、特に検査のために、さらなるデータ・ブロックが要求される場合、以前に送信されたデータ・ブロックに対して冗長のさらなるデータ・ブロックを選択デバイス１６が送信することを防止する。受信した第一のデータ・ブロックのデータを評価する際、決定されたデータがオリジナル・データ・ブロック９に一致しないとチェック・セクション２３が決定する場合、上述の現実の動作条件におけると同様に、さらなる冗長データ・ブロックを要求する信号が送受信装置２から送信される。送受信装置２はテストが行われていることを検知することができない。
【００３３】
しかし、現実の基地局の動作と対照的に、ソフトウェア・エラー修正がハードウェアのエラーを隠さないようにするために、図５において第１のデータ・ブロック１０１について示されるような、エラー評価をもたらした同じデータ・ブロックが、測定装置に結合される、現実の基地局を模倣する送受信ステーション１によって再送信される。この目的で選択装置１６は再び例えばメモリ１４の第一のメモリ・ロケーション１５．１に再びアクセスすることができる。
【００３４】
その代わりに、冗長データ・ブロックを生成する際に、メモリ１４の第一のメモリ・ロケーション１５．１、第二のメモリ・ロケーション１５．２及び第三のメモリ・ロケーション１５．３の各々を冗長データ・ブロックではなく同じデータ・ブロックで埋めることができる。送受信装置２による第一のデータ・ブロックの受信後、応答信号を通じてさらなる冗長データ・ブロックが要求される場合、選択デバイス１６によって第二のメモリ・ロケーション１５．２に記憶されるデータ・ブロックを選択することができる。このようにして、現実の基地局の場合と同じアルゴリズムを、データ・ブロックを選択するために使用することができるが、冗長情報は送受信装置２に通信されない。
【００３５】
図２は、ＥＧＰＲＳ規格に従った携帯電話システムのデータ伝送をかなり単純化して示している。データは送受信ステーション１と送受信装置２との間でそれぞれ少なくとも１タイムスロットにおいて伝送される。各ケースにおいて、８タイムスロットがまとまって１フレームを構成する。図２は、第一のフレーム３０、第二のフレーム４０、第三のフレーム５０、第四のフレーム６０、第五のフレーム７０及び第六のフレーム８０を示している。この構成において、第一のフレームは８つのタイムスロット３１から３８までに細分され、第二のフレーム４０は８つのタイムスロット４１から４８までに細分され、以下同様である。
【００３６】
送受信ステーション１から送受信装置２に所定のタイムスロットから成るフレームにおいてデータを伝送するために、各場合に１つのバーストが送信される。
【００３７】
図２において、第一のバースト３９は第一のフレームの第三のタイムスロット３３において送信される。別のバースト４９は第二のフレーム４０の第三のタイムスロット４３において送信される。これに従って、第三のフレーム５０及び第四のフレーム６０において、それぞれ第三のバースト５９及び第四のバースト６９がそれぞれ第三のタイムスロット５３及び６３において送信される。各場合に、連続フレーム３０、４０、５０及び６０において送信されるこの種の４つのバースト３９、４９、５９及び６９はまとまってデータ・ブロックを構成する。
【００３８】
その他のフレーム７０、８０以降については、次のデータ・ブロックを送信するために送受信ステーション１と送受信装置２との間で別のタイムスロットの使用について取り決めることができ、この場合にも、データ・ブロックは４つのバーストに細分されて送受信ステーション１と送受信装置２との間で送信される。従って、図１を参照して説明されるとおり、第一のデータ・ブロックまたはその後のデータ・ブロックの送信は、４つの連続フレームにまたがる。
【００３９】
図３は、この種のデータ・ブロック９０の送信後、送受信装置２からの要求に応答して、冗長データ・ブロック９２が送信される前にかつ（または）本発明に従った方法を用いて誤り率を決定するために同じデータ・ブロックが２度目に送信される前に他のデータ・ブロック９１を送信することができることを、この場合にもかなり単純化して示している。通常、不正確と評価されたデータ・ブロック９０と再送信されるデータ・ブロック９２との間の所定の最大時間間隔を超えてはならない。個々のデータ・ブロックが送信のために必要とする定義済み時間は約２０ｍｓなので、この最大時間間隔は、図３に示される通りデータ・ブロックの最大数Ｎmaxとして指示することができる。
【００４０】
図４は、携帯電話９３の誤り率を決定するための配列を示している。この構成において、携帯電話９３は図１に示される送受信装置２を備える。携帯電話９３は測定装置９４と無線連絡している。測定装置は同じく図１において示される送受信ステーション１を含み、正確にまたは不正確に受信されたデータ・ブロックについて誤り率を決定するために必要とされる情報も携帯電話９３から無線接続を通じて測定装置９４に通信される。
【００４１】
さらに、測定装置の送受信ステーション１に接続されるコントローラ９５が測定装置９４に配備される。コントローラ９５は、従って、所定のオリジナル・データ・ブロック９を例えば送受信ステーション１に通信することができる。さらに、コントローラ９５は、アンテナ５と６との間の空気インターフェイスを通じて送信される、デコーディング・ブロック２１によってどのデータ・ブロックを全体的に正確に評価することができなかったかに関する情報を、送受信ステーション１から受け取る。
【００４２】
この構成において、どのデータ・ブロックを正確に受信し評価することができなかったかに関する情報は、各ブロックについて個別に通常携帯電話９３によって測定装置９４に通信されず、受信した多数のデータ・ブロックについて要約される。
誤り率は、正確にまたは不正確に送信されたデータ・ブロックの数に関する情報に基づいてコントローラ９５によって決定され、例えばディスプレイ９６に表示するために送られる。
【００４３】
さらに、コントローラ９５は、送受信ステーション１のために、携帯電話９３からの要求に応答して増加的冗長性を含む場合と含まない場合の携帯電話の誤り率の比較を受け取るために、データ・ブロックとは異なるがデータ・ブロックに対して冗長の別のデータ・ブロックを同じデータ・ブロックの再送信の代わりに送信することを決定することができる。この付加的評価の結果も、その後ディスプレイ９６に表示される。
【００４４】
増加的冗長性なしの測定の場合、測定装置９４は、第一のデータ・ブロック従って再送信されるデータ・ブロックを生成するために使用されるパンクチャ処理スキームを、可変的に決定することができる。対応する入力がコントローラ９５によって送受信ステーション１に送られ、送信されるデータ・ブロックを選択デバイス１６が選択する際に考慮に入れられる。メモリ・ロケーション１５．１から１５．３までが同一のデータ・ブロックによって占められる場合、コントローラ９５によって決定されたパンクチャ処理スキームは既にデータ・ブロックの記憶の際に考慮に入れられている。
【図面の簡単な説明】
【００４５】
【図１】誤り率を決定するための送受信ステーション及び送受信装置の構造を図解的に示している。
【図２】ＥＧＰＲＳにおけるデータ・ブロック形式のデータ伝送を図解的に示している。
【図３】データ・ブロックが再送信される場合の時間特性を図解的に示している。
【図４】本発明に従った測定装置及び携帯電話の測定配列を示している。
【図５】データ・ブロックの本発明に従った生成及び送信を図解的に示している。
【図６】増加的冗長性によるエラー修正を図解的に示している。
【図１】
0004490415.tif 000002
【図２】
0004490415.tif 000003
【図３】
0004490415.tif 000004
【図４】
0004490415.tif 000005
【図５】
0004490415.tif 000006
【図６】
0004490415.tif 000007